(57)【要約】【課題】浴室などの室内側が負圧すなわち室外側よりも低圧となったときに室外側から室内側へ空気を流入させる、簡易で低コストの機構を備えたガラスドア及びガラスドアユニットを提供する。【解決手段】ガラスドア１０のドア板１１に、取っ手１２に隠蔽されるように通気口１３が設けられている。通気口１３の内側には、この通気口１３を開閉させるフラップ２１が設置されている。換気扇の作動によって浴室側が負圧になると、この負圧によりフラップ２１が浴室側へ揺動して通気口１３を開放させる。フラップ２１の浴室側面は、下端側ほど浴室側となるように傾斜している。【選択図】図４
2009030278.tif 000002
【特許請求の範囲】
【請求項１】
ガラス板よりなるドア板と、該ドア板に設けられた取っ手とを有するガラスドアにおいて、
部屋の内外を連通する通気口を該取っ手に隠蔽されるように設けると共に、
該通気口に、室内外の圧力が同等のときには該通気口を閉鎖しており、室内が負圧になったときに室内側へ開き出す揺動可能なフラップを設けたことを特徴とするガラスドア。
【請求項２】
請求項１において、前記取っ手は、その下面から前記ドア板に沿って凹陥する指掛け用の凹所を備えており、
前記通気口は、この凹所に臨んで前記ドア板に設けられていることを特徴とするガラスドア。
【請求項３】
請求項１又は２において、前記フラップの室内側の面の少なくとも下部は、該フラップが閉じた状態で、下方ほど室内側となるように傾斜していることを特徴とするガラスドア。
【請求項４】
ドア枠と、ガラス板よりなり、ヒンジによって該ドア枠に回動可能に取り付けられたドア板とを有するガラスドアユニットにおいて、
該ドア板の上端辺と該ドア枠の上かまちとの間に通気間隙が設けられており、
該通気間隙に、室内外の圧力が同等のときには該通気間隙を閉鎖しており、室内が負圧になったときに室内側へ開き出す揺動可能なフラップが設けられていることを特徴とするガラスドアユニット。
【請求項５】
ドア枠と、ガラス板よりなり、ヒンジによって該ドア枠に回動可能に取り付けられたドア板とを有するガラスドアユニットにおいて、
該ドア枠の上かまちに室内外を連通する通気路が設けられており、
該通気路に、室内外の圧力が同等のときには該通気路を閉鎖しており、室内が負圧になったときに室内側へ開き出す揺動可能なフラップが設けられていることを特徴とするガラスドアユニット。
【請求項６】
請求項５において、前記通気路は前記上かまち内に設けられた空室と、該上かまちの下面側のうち室内側及び室外側にそれぞれ設けられた通気孔とを備えてなることを特徴とするガラスドアユニット。
【請求項７】
請求項４ないし６のいずれか１項において、前記フラップの室内側の面の少なくとも下部は、該フラップが閉じた状態で、下方ほど室内側となるように傾斜していることを特徴とするガラスドアユニット。
【発明の詳細な説明】
【技術分野】
【０００１】
本発明は、ガラス板よりなるドア板を有したガラスドア及びガラスドアユニットに係り、特に室内外の通気部を備えたガラスドア及びガラスドアユニットに関する。好ましくは、本発明は、ホテルやマンション等の浴室、シャワールームなどにおいて、強化ガラスよりなる一枚物の扉（ドア板）を有したガラスドア及びガラスドアユニットに関する。
【背景技術】
【０００２】
ホテルやマンション等の浴室において、脱衣室との出入り口に設ける扉に強化ガラスを用いた一枚物の扉を採用し、浴室のデザインや環境を見た目に豪華な感じにすると共に、広く見せるようにすることが行われている。
【０００３】
従来、強化ガラスを用いた一枚物のガラス扉を建物の開口部に取り付けるための扉取付け枠は、アルミやステンレスを用いた両側縦かまちと上かまち及び下かまちで矩形の枠状に組み立てられ、建物の出入り口用開口部に組み込んだ扉取付け用建具に対して扉を一方の縦かまちにヒンジを用いて取付け、扉取付け用建具の内周に形成された出入り口を開閉可能にしている。
【０００４】
この扉取付け枠にシール材を取り付け、扉を閉めた状態で浴槽側の湯気や湿気が脱衣室側に流出しないようにシールしている。
【０００５】
浴室で発生した湯気や湿気は浴室の天井や壁に設けた換気扇によって排出するため、上記出入り口をシール材で密閉すると、脱衣室側から浴室内への空気の流れが遮断され、浴室に対する換気作用が低下する。そこで、扉の閉鎖状態において扉取付け枠の出入り口に通気隙間を設け、脱衣室側から浴室内への空気の流れを確保することができるようにしている。
【０００６】
しかしながら、このように、浴室の出入り口に通気隙間を設けた構造になっていると、浴室内で発生させたミストや蒸気、温風等が通気隙間から脱衣室側に流出することになる。
【０００７】
特開２００６−２２６０６６には、建物の開口部に固定する扉取付け枠の縦かまちに、扉で仕切られる両側の空間を連通させる通気路を設け、この通気路をガラリによって開閉し、通気量の調整ができるようにした構造が記載されている。
【０００８】
この構造によると、扉を閉めても浴室内外を通気路によって連通させることができると共に、ガラリによって閉止すればミストや湿気が浴室外へ拡散することが防止される。
【０００９】
しかしながら、この特開２００６−２２６０６６の構造にあっては、ガラリの開閉を手動で行うようにしているため、ガラリを閉め忘れることが懸念される。
【００１０】
特開２００２−３７２２６７には、換気扇を駆動させたときにガラリを開放駆動させるガラリ駆動装置を設けることが記載されているが、コスト高である。
【特許文献１】特開２００６−２２６０６６
【特許文献２】特開２００２−３７２２６７
【発明の開示】
【発明が解決しようとする課題】
【００１１】
本発明は、上記従来の問題点を解決し、浴室などの室内側が負圧すなわち室外側よりも低圧となったときに室外側から室内側へ空気を流入させる、簡易で低コストの機構を備えたガラスドア及びガラスドアユニットを提供することを目的とする。
【課題を解決するための手段】
【００１２】
請求項１のガラスドアは、ガラス板よりなるドア板と、該ドア板に設けられた取っ手とを有するガラスドアにおいて、部屋の内外を連通する通気口を該取っ手に隠蔽されるように設けると共に、該通気口に、室内外の圧力が同等のときには該通気口を閉鎖しており、室内が負圧になったときに室内側へ開き出す揺動可能なフラップを設けたことを特徴とするものである。
【００１３】
請求項２のガラスドアは、請求項１において、前記取っ手は、その下面から前記ドア板に沿って凹陥する指掛け用の凹所を備えており、前記通気口は、この凹所に臨んで前記ドア板に設けられていることを特徴とするものである。
【００１４】
請求項３のガラスドアは、請求項１又は２において、前記フラップの室内側の面の少なくとも下部は、該フラップが閉じた状態で、下方ほど室内側となるように傾斜していることを特徴とするものである。
【００１５】
請求項４のガラスドアユニットは、ドア枠と、ガラス板よりなり、ヒンジによって該ドア枠に回動可能に取り付けられたドア板とを有するガラスドアユニットにおいて、該ドア板の上端辺と該ドア枠の上かまちとの間に通気間隙が設けられており、該通気間隙に、室内外の圧力が同等のときには該通気間隙を閉鎖しており、室内が負圧になったときに室内側へ開き出す揺動可能なフラップが設けられていることを特徴とするものである。
【００１６】
請求項５のガラスドアユニットは、ドア枠と、ガラス板よりなり、ヒンジによって該ドア枠に回動可能に取り付けられたドア板とを有するガラスドアユニットにおいて、該ドア枠の上かまちに室内外を連通する通気路が設けられており、該通気路に、室内外の圧力が同等のときには該通気路を閉鎖しており、室内が負圧になったときに室内側へ開き出す揺動可能なフラップが設けられていることを特徴とするものである。
【００１７】
請求項６のガラスドアユニットは、請求項５において、前記通気路は前記上かまち内に設けられた空室と、該上かまちの下面側のうち室内側及び室外側にそれぞれ設けられた通気孔とを備えてなることを特徴とするものである。
【００１８】
請求項７のガラスドアユニットは、請求項４ないし６のいずれか１項において、前記フラップの室内側の面の少なくとも下部は、該フラップが閉じた状態で、下方ほど室内側となるように傾斜していることを特徴とするものである。
【発明の効果】
【００１９】
本発明のガラスドア及びガラスドアユニットにあっては、換気扇の作動などにともなって室内側が負圧になると、フラップが室内側に開き出し、室外側から室内側へ空気が流入する。このため、換気扇によって湿気を効率よく排出することができる。室内側の負圧が解消すると、フラップが閉止し、室内側と室外側とが遮断されるので、湿気が室外側へ拡散することが防止される。
【００２０】
請求項２のガラスドアによると、通気口が目立たず、美観に優れる。
【００２１】
請求項３及び７によると、フラップの室内側の面に付着した水滴が室内側へ流れて排出され易くなる。
【発明を実施するための最良の形態】
【００２２】
以下に、図面を参照して本発明の実施の形態について説明する。
【００２３】
第１図は実施の形態に係るガラスドアを備えたガラスドアユニットの正面図、第２図はこのガラスドアユニットの斜視図、第３図は第１図のIII−III線に沿う断面図、第４図はフラップ開放動作時における第３図と同一部分の断面図、第５図はこのガラスドアのガラス板と取っ手との分解斜視図、第６図はこのガラス板の通気口部分（フラップ及びフラップ保持枠）の分解斜視図、第７図は浴室側フラップ保持枠の構成図、第８図は洗面室側フラップ保持枠の構成図、第９図はフラップの構成図、第１０図は浴室側取っ手の構成図、第１１図は洗面室側取っ手の構成図、第１２図は第１図のXII−XII線に沿う断面図である。
【００２４】
なお、第１図、第２図、第５図及び第６図はそれぞれガラスドアユニットを浴室側から見た図である。第７〜１１図において、（ａ）図は各部材の斜視図、（ｂ）図は各部材を（ａ）図のＢ側から見た正面図、（ｃ）,（ｄ）図はそれぞれ（ｂ）図のＣ−Ｃ線及びＤ−Ｄ線に沿う断面図である。第７図（ａ）,（ｂ）では浴室側フラップ保持枠を洗面室側から見ており、第８図（ａ）,（ｂ）では洗面室側フラップ保持枠を浴室側から見ており、第９図（ａ）,（ｂ）ではフラップを浴室側から見ている。第１０図（ａ）では浴室側取っ手を浴室側から見ており、第１０図（ｂ）では浴室側取っ手を洗面室側から見ている。また、第１１図（ａ）では洗面室側取っ手を洗面室側から見ており、第１１図（ｂ）では洗面室側取っ手を浴室側から見ている。
【００２５】
以下の説明において、左右方向とは、ガラスドアを浴室側又は洗面室側から見たときの左右方向をいう。
【００２６】
この実施の形態では、ガラスドアユニット１は、室を浴室と洗面室とに仕切る間仕切り２と一体に構成されている。
【００２７】
ガラスドア１０は、このガラスドアユニット１によって構成される浴室の洗面室との出入り口に設置されるものである。
【００２８】
このガラスドア１０は、ガラス板よりなるドア板１１と、このドア板１１に取り付けられた取っ手１２とを有する。該ドア板１１は強化ガラスにより構成されている。該ドア板１１の取っ手取付予定領域には、浴室と洗面室とを連通する通気口（ドア板１１を貫通する開口）１３が設けられており、取っ手１２は、この通気口１３を隠蔽するように設置されている。
【００２９】
第５図に示すように、この実施の形態では、取っ手１２は、ドア板１１を挟んで該ドア板１１の浴室側面及び洗面室側面にそれぞれ配置された浴室側取っ手１２Ａと洗面室側取っ手１２Ｂとからなる。
【００３０】
第１０，１１図の通り、この実施の形態では、各取っ手１２Ａ，１２Ｂは、それぞれ、左右方向に延在する横長の平板状の把持部１４と、該把持部１４を全体としてドア板１１から離隔させるように該把持部１４の左右両端側からドア板１１側へ張り出した脚状部１５ａ，１５ｂと、該把持部１４の上縁から左右の脚状部１５ａ，１５ｂ同士の間を塞ぐようにドア板１１側へ張り出した張出片部１６とを有している。即ち、第１０図（ｄ）及び第１１図（ｄ）の通り、各取っ手１２Ａ，１２Ｂの把持部１４の裏側（ドア板１１側）には、各取っ手１２Ａ，１２Ｂの下面からそれぞれドア板１１の浴室側面及び洗面室側面に沿って凹陥する指掛け用の凹所Ｓが形成されている。
【００３１】
この実施の形態では、浴室側取っ手１２Ａの左右の脚状部１５ａ，１５ｂからドア板１１側へ向ってそれぞれ連結ピン１７が突設され、洗面室側取っ手１２Ｂの左右の脚状部１５ａ，１５ｂには、それぞれ、この連結ピン１７が差し込まれる連結ピン挿通孔１８が設けられている。また、洗面室側取っ手１２Ｂの各脚状部１５ａ，１５ｂの下面には、それぞれ、該連結ピン挿通孔１８に連通する雌ねじ孔１９（第１１図（ｃ））が穿設されている。
【００３２】
ドア板１１の取っ手取付予定領域にも、この浴室側取っ手１２Ａの左右の連結ピン１７がそれぞれ挿通される１対の連結ピン挿通孔２０（第５，６図）が設けられている。
【００３３】
このドア板１１の左右の連結ピン挿通孔２０，２０同士の間に前記通気口１３が設けられている。この通気口１３は、各取っ手１２Ａ，１２Ｂがそれぞれドア板１１の取っ手取付予定領域に設置されたときに、各取っ手１２Ａ，１２Ｂの裏側の凹所Ｓに臨むように配置されている。また、この通気口１３は、左右方向の幅が該凹所Ｓの左右方向の幅と同等かそれよりも小さく、且つ上下方向の幅も、該凹所Ｓの上下方向の幅と同等かそれよりも小さなものとなっている。即ち、この通気口１３は、各取っ手１２Ａ，１２Ｂをドア板１１に取り付けたときに各取っ手１２Ａ，１２Ｂの把持部１４の裏側に隠れるサイズ及び配置となっている。
【００３４】
この通気口１３の内側に、この通気口１３を開閉させるフラップ２１が設置されている。
【００３５】
この実施の形態では、該通気口１３内にフラップ保持枠２２が嵌め込まれ、このフラップ保持枠２２によって、フラップ２１が該通気口１３の出入方向に揺動可能に保持されている。
【００３６】
第６図に示すように、該フラップ保持枠２２は、この実施の形態では、浴室側から通気口１３に嵌め込まれた浴室側保持枠２２Ａと、洗面室側から通気口１３に嵌め込まれた洗面室側保持枠２２Ｂとからなる。
【００３７】
各保持枠２２Ａ，２２Ｂは、それぞれ、通気口１３の内面に沿う角筒状の枠本体２３と、該枠本体２３の通気口１３入口側（浴室側保持枠２２Ａにあっては浴室側であり、洗面室側保持枠２２Ｂにあっては洗面室側）の端部からドア板１１の表面に重なるように外方へ張り出した外向きフランジ部２４と、該枠本体２３の通気口１３奥側（浴室側保持枠２２Ａにあっては洗面室側であり、洗面室側保持枠２２Ｂにあっては浴室側）の端部から該枠本体２３の内方へ張り出した内向きフランジ部２５とを有している。
【００３８】
この実施の形態では、外向きフランジ部２４は、枠本体２３の通気口１３入口側の端部の上縁及び下縁に沿って形成されている。また、内向きフランジ部２５は、枠本体２３の通気口１３奥側の端部の全周にわたって形成されている。この内向きフランジ部２５の内側の開放口２６を通って空気が流通する。
【００３９】
第７図（ｂ）及び第８図（ｂ）のように、各保持枠２２Ａ，２２Ｂの該開放口２６の上縁の左右両端側には、それぞれ、後述するフラップ２１の挿通部２９が挿通される凹部２７が形成されている。これらの凹部２７は、開放口２６の上縁側において部分的に該開放口２６の左右幅を広げるように、該開放口２６の上縁の左右両端側の内向きフランジ部２５をそれぞれ側方へ切り欠いた如き形状となっている。
【００４０】
第３図の通り、各保持枠２２Ａ，２２Ｂは、これらが浴室側及び洗面室側から通気口１３にそれぞれ嵌め込まれたときに、各々の外向きフランジ部２４がドア板１１の浴室側面又は洗面室側面に重なり、且つ各々の内向きフランジ部２５同士が通気口１３内で当接するように構成されている。
【００４１】
また、第３図の通り、この実施の形態では、各保持枠２２Ａ，２２Ｂの通気口１３奥側の端面即ち内向きフランジ部２５は、下端側ほど浴室側となるように傾斜した斜面となっている。
【００４２】
フラップ２１は、第３図に示すように、浴室側フラップ保持枠２２Ａの内側から該保持枠２２Ａの開放口２６を覆うフラップ本体２８と、該フラップ本体２８の上縁から洗面室側へ延出した挿通部２９と、該挿通部２９の洗面室側の端縁から上方へ延出した係止片部３０とを有している。第９図（ｂ）の通り、該係止片部３０の左右両端側は、それぞれ、挿通部２９及びフラップ本体２８の左右両側縁よりも側方へ突出している。
【００４３】
フラップ本体２８及び挿通部２９の左右幅は、左右の凹部２７，２７を含む開放口２６の上縁側の左右幅（左右の凹部２７，２７の奥側の縁部同士の間隔）よりも小さく、且つこの開放口２６の凹部２７よりも下側における左右幅よりも大きなものとなっている。また、係止片部３０の左右幅は、左右の凹部２７，２７を含む該開放口２６の上縁側の左右幅よりも大きなものとなっている。
【００４４】
第３図に示すように、該挿通部２９の上下方向の厚みは、各凹部２７の上下方向の幅よりも小さなものとなっている。これにより、第４図のように、該挿通部２９の左右両側縁が左右の凹部２７，２７にそれぞれ挿通された状態において、フラップ２１が開放口２６の出入方向（即ち、通気口１３の出入方向）に揺動しうるようになっている。
【００４５】
ガラスドア１０の組み立て手順は次の通りである。
【００４６】
まず、ドア板１１の通気口１３の内面に接着剤を塗布しておき、ドア板１１の浴室側及び洗面室側からそれぞれこの通気口１３に浴室側フラップ保持枠２２Ａと洗面室側フラップ保持枠２２Ｂとを嵌め込む。なお、各保持枠２２Ａ，２２Ｂのドア板１１への固定方法は接着に限定されるものではなく、例えばビス留め等によって各保持枠２２Ａ，２２Ｂをドア板１１に固定してもよい。
【００４７】
次に、フラップ２１を、洗面室側からフラップ本体２８の下端を先頭にしてフラップ保持枠２２Ｂの開放口２６の上縁側に差し込む。この際、フラップ本体２８の左右両側縁を該開放口２６の上縁側の左右の凹部２７，２７にそれぞれ係合させる。そして、フラップ本体２８を、該開放口２６を通過させて浴室側フラップ保持枠２２Ａ側へ入り込ませ、該浴室側フラップ保持枠２２Ａの内向きフランジ部２５の浴室側面に重ねる。
【００４８】
このとき、フラップ２１の挿通部２９の左右両側縁が各保持枠２２Ａ，２２Ｂの左右の凹部２７，２７に挿通されると共に、係止片部３０の左右両端側が該凹部２７，２７の縁部（内向きフランジ部２５）に係合する。これにより、フラップ２１の上縁側が保持枠２２Ａ，２２Ｂによって開放口２６の出入方向（即ち通気口１３の出入方向）に揺動可能に保持される。
【００４９】
次に、第５図のように、ドア板１１の浴室側及び洗面室側にそれぞれ浴室側取っ手１２Ａと洗面室側取っ手１２Ｂとを配置する。そして、浴室側取っ手１２Ａの左右の連結ピン１７をそれぞれ通気口１３の左右両サイドの連結ピン挿通孔２０に挿通し、さらに各連結ピン１７の先端側を洗面室側取っ手１２Ｂの左右の連結ピン挿通孔１８にそれぞれ差し込む。その後、第１２図のように、洗面室側取っ手１２Ｂの各雌ねじ孔１９に雄ねじ３１を螺じ込んで各連結ピン１７を固定する。これにより、ドア板１１を挟んで浴室側取っ手１２Ａと洗面室側取っ手１２Ｂとが連結され、これらの取っ手１２Ａ，１２Ｂがドア板１１に固定される。また、これらの取っ手１２Ａ，１２Ｂにより、通気口１３が隠蔽される。
【００５０】
この結果、第１，２図に示すガラスドア１０が構成される。
【００５１】
ガラスドアユニット１は、第１，２図の通り、このガラスドア１０と、このガラスドア１０が開閉可能に取り付けられたドア取付枠４０とを有する。
【００５２】
該ドア取付枠４０は、ガラスドア１０の上下左右の各辺にそれぞれ沿う上かまち４１、下かまち４２及び左右の縦かまち４３，４４を有している。この実施の形態では、第１図における左側の縦かまち４３に対し、ガラスドア１０の第１図における左側の辺がヒンジ４５により回動可能に連結されている。各かまち４１〜４４のガラスドア１０側の面には、それぞれ、ガラスドア１０を閉めたときに該ガラスドア１０と各かまち４１〜４４との間をシールするシール材４６が設けられている。
【００５３】
この実施の形態では、ガラスドアユニット１と隣接して、浴室と洗面室とを仕切る間仕切り２が設けられている。この実施の形態では、第１図に示す通り、上かまち４１及び下かまち４２をそれぞれ延長するようにして間仕切り２の上フレーム４７及び下フレーム４８が設けられている。そして、これらの上フレーム４７及び下フレーム４８のガラスドアユニット１と反対側の端部同士を繋ぐように縦フレーム４９が設置されている。この実施の形態では、これらの上フレーム４７、下フレーム４８及び縦フレーム４９と、前記ドア取付枠４０の間仕切り２側（第１図における右側）の縦かまち４４とにより、間仕切り板取付枠５０が構成されている。即ち、この実施の形態では、ドア取付枠４０の間仕切り２側の縦かまち４４は、間仕切り板取付枠５０のガラスドアユニット１側の縦フレームを兼ねている。
【００５４】
この間仕切り５０の内側に間仕切り板５１が嵌め付けられることにより、間仕切り２が構成されている。この実施の形態では、該間仕切り板５１もガラス板よりなる。符号５２は、この間仕切り板５１と間仕切り板取付枠５０との間をシールするシール材を示している。
【００５５】
図示は省略するが、室の浴室と洗面室との境界にこの間仕切り２付きガラスドアユニット１が立て付けられることにより、室内が浴室と洗面室とに仕切られる。この際、上かまち４１及び上フレーム４７と室の天井との間、下かまち４２及び下フレーム４８と室の床との間、ガラスドアユニット１の間仕切り２と反対側の縦かまち４３と室の一方の壁面との間、並びに間仕切り２のガラスドアユニット１と反対側の縦フレーム４９と室の他方の壁面との間がそれぞれシール材によってシールされる。浴室内には換気扇が設置されている。
【００５６】
このように構成されたガラスドア１０及びこのガラスドア１０を備えたガラスドアユニット１にあっては、換気扇の作動によって浴室側が負圧になる（浴室側が洗面室側よりも低圧になる）と、第４図のように、この負圧によりフラップ２１が浴室側へ揺動してフラップ保持枠２２Ａの内向きフランジ部２５から離反し、フラップ保持枠２２Ａ，２２Ｂの開放口２６を開放させる。これにより、洗面室側取っ手１２Ｂの裏側の凹所Ｓ、通気口１３（開放口２６）及び浴室側取っ手１２Ａの裏側の凹所Ｓを通って洗面室側から浴室側へ空気が流入するようになる。このため、換気扇によって浴室内から湿気を効率よく排出することができる。
【００５７】
換気扇が停止して浴室側の負圧が解消されると、第３図のように、フラップ２１が自重により洗面室側へ揺動してフラップ保持枠２２Ａの内向きフランジ部２５に重なり、フラップ保持枠２２Ａ，２２Ｂの開放口２６を閉止する。これにより、浴室側と洗面室側とが遮断されるので、湿気が浴室から洗面室に拡散することが防止される。
【００５８】
このガラスドア１０にあっては、前述の通り、通気口１３が浴室側取っ手１２Ａと洗面室側取っ手１２Ｂとによって隠蔽されているので、該通気口１３が目立たず、美観に優れる。
【００５９】
また、この実施の形態では、第３図のように、フラップ保持枠２２Ａ，２２Ｂの内向きフランジ部２５が下端側ほど浴室側となるように傾斜した斜面となっており、フラップ２１がこのフランジ部２５に重なって開放口２６（通気口１３）を閉鎖した状態にあっては、このフラップ２１（フランジ本体２８）の浴室側面も、該フランジ部２５に沿って下端側ほど浴室側となるように傾斜している。そのため、このフラップ２１の浴室側面に付着した水滴が浴室側へ流れて排出され易く、洗面室側へ水滴が飛散しにくい。
【００６０】
第１３図は別の実施の形態に係るガラスドアユニットの概略的な縦断面図、第１４図及び第１５図はこのガラスドアユニットのガラスドア上端付近の縦断面図である。なお、第１４図は通気間隙の閉止時を示し、第１５図は通気間隙の開放時を示している。
【００６１】
この実施の形態のガラスドアユニット１Ａは、ドア枠５０と、ヒンジ（図示略）を介して該ドア枠５０に回動可能に取り付けられたドア板６０等を有している。この実施の形態でも、該ドア板６０はガラス板よりなる。なお、第１３図では、ドア枠５０のうち上かまち５１のみ図示され、下かまち及び左右の縦かまちの図示は省略されている。
【００６２】
この実施の形態では、ドア板６０の上縁と上かまち５１との間に通気間隙５２（第１５図）が設けられており、この通気間隙５２内に、この通気間隙５２を間鎖可能なフラップ５３が配置されている。フラップ５３は、上かまち５１に対し、該通気間隙５２の出入方向へ揺動可能に取り付けられている。
【００６３】
フラップ５３は、上かまちの下面に沿ってドア板６０の略全幅にわたって存在する横長の板状部材である。このフラップ５３の上下幅は、通気間隙５２の上下幅と略同等かそれよりも若干小さなものとなっている。この実施の形態では、該フラップ５３は、第１４図の通り、下端側が上端側よりも幅広の略台形の断面形状を有し、このフラップ５３の浴室側の面は、下端側ほど浴室側となるように傾斜した斜面となっている。このフラップ５３の上端側に回動軸５４が設けられている。
【００６４】
第１４，１５図の通り、フラップ５３の上方にフラップ保持部材５５が配置され、このフラップ保持部材５５に回動軸５４が回動可能に保持されている。
【００６５】
上かまち５１の下面には、下方へ向って開放したフラップ取付溝５６が設けられている。第１４図の通り、このフラップ取付溝５６にフラップ保持部材５５が嵌合されることにより、該フラップ保持部材５５を介してフラップ５３が上かまち５１に取り付けられている。
【００６６】
この実施の形態では、フラップ５３は、第１４図のように通気間隙５２を閉鎖した姿勢から、第１５図のように浴室側へのみ回動しうるように構成されている。詳しくは、この実施の形態では、前記回動軸５４は、フラップ５３の上端面の浴室側の端縁に沿って配設されており、フラップ５３が回動軸５４回りに洗面室側へ回動すると、第１４図のように、フラップ５３が通気間隙５２を閉鎖した姿勢となったときに、該フラップ５３の上端面がフラップ保持部材５５の下面に当接する。これにより、該フラップ５３のそれ以上の洗面室側への回動が阻止される。
【００６７】
このように構成されたガラスドアユニット１Ａにあっては、換気扇の作動によって浴室側が負圧になる（浴室側が洗面室側よりも低圧になる）と、第１５図のように、この負圧によりフラップ５３が浴室側へ揺動して通気間隙５２を開放させる。これにより、該通気間隙５２を通って洗面室側から浴室側へ空気が流入するようになる。このため、換気扇によって浴室内から湿気を効率よく排出することができる。
【００６８】
換気扇が停止して浴室側の負圧が解消されると、第３図のように、フラップ５３が自重により洗面室側へ揺動して通気間隙５２を閉止する。これにより、浴室側と洗面室側とが遮断されるので、湿気が浴室から洗面室に拡散することが防止される。
【００６９】
この実施の形態でも、第１４図のように、フラップ５３の浴室側面は、下端側ほど浴室側となるように傾斜している。そのため、このフラップ５３の浴室側面に付着した水滴が浴室側へ流れて排出され易く、洗面室側へ水滴が飛散しにくい。
【００７０】
第１６図はさらに別の実施の形態に係るガラスドアユニットの概略的な縦断面図、第１７図及び第１８図はこのガラスドアユニットの上かまち付近の縦断面図、第１９図はこの上かまちの下面図である。なお、第１７図は通気路閉鎖時を示し、第１８図は通気路開放時を示している。
【００７１】
この実施の形態のガラスドアユニット１Ｂも、ドア枠７０と、ヒンジ（図示略）を介して該ドア枠７０に回動可能に取り付けられたドア板８０等を有している。この実施の形態でも、該ドア板８０はガラス板よりなる。なお、第１６図においても、ドア枠７０のうち上かまち７１のみ図示され、下かまち及び左右の縦かまちの図示は省略されている。
【００７２】
この実施の形態では、ドア板８０の上端部にシール材８１が装着されている。第１７図の通り、このシール材８１は、該ドア板８０の上端部に被さる下向きコ字形断面形状のキャップ部８１ａと、該キャップ部８１ａから上方へ延出したブレード部８１ｂとからなる。このシール材８１は、ドア板８０の略全幅にわたって延在している。ドア板８０を閉めたときには、このシール材８１のブレード部８１ｂが上かまち７１の下面７１ａに接触することにより、該ドア板８０と上かまち７１との間がシールされる。
【００７３】
この実施の形態では、第１７，１８図の通り、上かまち７１は、内部が空室となっている角筒状のものである。この上かまち７１のドア出入方向の幅は、ドア板８０の厚みよりも大きなものとなっている。この上かまち７１の下面７１ａの浴室側の縁部及び洗面室側の縁部に沿って、それぞれ、該浴室と上かまち７１内とを連通する通気孔７２と、洗面室と上かまち７１内とを連通する通気孔７３とが設けられている。
【００７４】
第１９図に示すように、この実施の形態では、各通気孔７２，７３は、それぞれ、上かまち７１の長手方向に延在するスリット状のものとなっている。また、この実施の形態では、各通気孔７２，７３の長さは上かまち７１の全長よりも短く、複数の通気孔７２，７３がそれぞれ上かまち７１の長手方向に一列に配置されている。なお、各通気孔７２，７３の形状及び配置はこれに限定されるものではない。
【００７５】
これらの通気孔７２，７３と上かまち７１内の空室とにより、該上かまち７１内を通って浴室側と洗面室側とを連通する通気路７４が構成されている。
【００７６】
なお、第１７図の通り、ドア板８０を閉めた状態においては、前記シール材８１のブレード部８１ｂは、上かまち７１の下面７１ａのうち浴室側の通気孔７２と洗面室側の通気孔７３との間の領域に接触するようになっている。
【００７７】
上かまち７１内には、浴室側の通気孔７２と洗面室側の通気孔７３との間でこの通気路７４を閉鎖可能なフラップ７５が設けられている。上かまち７１内の空室の天室面からは、このフラップ７５の支持片７６が突設されており、この支持片７６に対しフラップ７５の上端側が回動軸７７を介して回動可能に連結されている。
【００７８】
このフラップ７５は、上かまち７１内の空室の長手方向の略全幅にわたって延在する平板状のものである。このフラップ７５の上下幅は、該空室の上下幅と略同等かそれよりも若干小さなものとなっている。
【００７９】
この実施の形態では、フラップ７５は、第１７図のように通気路７４を閉鎖した姿勢から、第１８図のように浴室側へのみ回動しうるように構成されている。詳しくは、この実施の形態では、フラップ７５の上端側から浴室側に向って連結片（符号略）が突設されており、この連結片が回動軸７７を介して前記支持片７６に連結されている。フラップ７５が回動軸７７回りに洗面室側へ回動すると、第１７図のように、フラップ７５が通気路７４を閉鎖した姿勢となったときに、該フラップ７５の上端が上かまち７１内の空室の天井面に当接する。これにより、該フラップ７５のそれ以上の洗面室側への回動が阻止される。
【００８０】
なお、この実施の形態では、浴室側が負圧となっていないときには、フラップ７５は自重により通気路７４を閉鎖した姿勢に保持されている。
【００８１】
第１７図の通り、このフラップ７５は、その上下方向の途中部から下端側が浴室側へ向って屈曲されている。これにより、この実施の形態においても、該フラップ７５の浴室側面は、少なくともその上下方向の途中部よりも下端側が該下端側ほど浴室側となるように傾斜した斜面となっている。
【００８２】
このように構成されたガラスドアユニット１Ｂにあっては、換気扇の作動によって浴室側が負圧になる（浴室側が洗面室側よりも低圧になる）と、第１８図のように、この負圧によりフラップ７５が浴室側へ揺動して通気路７４の閉鎖を解除する。これにより、洗面室側の通気孔７３、上かまち内の空室及び浴室側の通気孔７２を通って洗面室側から浴室側へ空気が流入するようになる。このため、換気扇によって浴室内から湿気を効率よく排出することができる。
【００８３】
換気扇が停止して浴室側の負圧が解消されると、第１７図のように、フラップ７５が洗面室側へ揺動して通気路７４を閉鎖する。これにより、浴室側と洗面室側とが遮断されるので、湿気が浴室から洗面室に拡散することが防止される。
【００８４】
この実施の形態でも、第１７図の通り、フラップ７５の浴室側面は、下端側ほど浴室側となるように傾斜している。そのため、このフラップ７５の浴室側面に付着した水滴が浴室内側へ流れて通気孔７２から浴室内に排出され易く、洗面室側へ水滴が飛散しにくい。
【００８５】
上記の各実施の形態はいずれも本発明の一例を示すものであり、本発明は上記の各実施の形態に限定されない。
【図面の簡単な説明】
【００８６】
【図１】実施の形態に係るガラスドアを備えたガラスドアユニットの正面図である。
【図２】図１のガラスドアユニットの斜視図である。
【図３】図１のIII−III線に沿う断面図である。
【図４】フラップ開放動作時における図３と同一部分の断面図である。
【図５】図１のガラスドアのガラス板と取っ手の分解斜視図である。
【図６】図１のガラス板の通気口部分（フラップ及びフラップ保持枠）の分解斜視図である。
【図７】浴室側フラップ保持枠の構成図である。
【図８】洗面室側フラップ保持枠の構成図である。
【図９】フラップの構成図である。
【図１０】浴室側取っ手の構成図である。
【図１１】洗面室側取っ手の構成図である。
【図１２】図１のXII−XII線に沿う断面図である。
【図１３】別の実施の形態に係るガラスドアユニットの概略的な縦断面図である。
【図１４】図１３のガラスドアユニットの通気間隙閉鎖時におけるガラスドア上端付近の縦断面図である。
【図１５】図１３のガラスドアユニットの通気間隙開放時におけるガラスドア上端付近の縦断面図である。
【図１６】さらに別の実施の形態に係るガラスドアユニットの概略的な縦断面図である。
【図１７】図１６のガラスドアユニットの通気路閉鎖時における上かまち付近の縦断面図である。
【図１８】図１６のガラスドアユニットの通気路開放時における上かまち付近の縦断面図である。
【図１９】図１６のガラスドアユニットの上かまちの下面図である。
【符号の説明】
【００８７】
１，１Ａ，１Ｂ  ガラスドアユニット
２  間仕切り
１０  ガラスドア
１１  ドア板
１２  取っ手
１３  通気口
２１  フラップ
２２  フラップ保持枠
５０  ドア取付枠
５１  上かまち
５２  通気間隙
５３  フラップ
６０  ドア板
７０  ドア取付枠
７１  上かまち
７２，７３  通気孔
７４  通気路
７５  フラップ
８０  ドア板
８１  シール材
【図１】
2009030278.tif 000003
【図２】
2009030278.tif 000004
【図３】
2009030278.tif 000005
【図４】
2009030278.tif 000006
【図５】
2009030278.tif 000007
【図６】
2009030278.tif 000008
【図７】
2009030278.tif 000009
【図８】
2009030278.tif 000010
【図９】
2009030278.tif 000011
【図１０】
2009030278.tif 000012
【図１１】
2009030278.tif 000013
【図１２】
2009030278.tif 000014
【図１３】
2009030278.tif 000015
【図１４】
2009030278.tif 000016
【図１５】
2009030278.tif 000017
【図１６】
2009030278.tif 000018
【図１７】
2009030278.tif 000019
【図１８】
2009030278.tif 000020
【図１９】
2009030278.tif 000021